(57)【要約】【課題】  従前からの木造建築物の良さを残しながら、耐力壁構造を有利に実現することが出来る、新規な襖構造体を提供することを、目的とする。【解決手段】  開口部２２に嵌め入れられた複数枚の襖２４のそれぞれが、補強骨格金物３０の両面を表層材７０で覆って装飾することで構成されており、それら複数枚の襖２４の少なくとも一枚に組み付けられたストッパ５２を操作機構６２により突出させて、敷居１８および鴨居２０に対して保持機構６２，６４，６６によって固定状態とすることで、ストッパ５２が組み付けられた襖２４の開口部２２からの離脱を阻止するようにした。【選択図】      図２
2006241910.tif 000002
【特許請求の範囲】
【請求項１】
木造建築物の隣り合う部屋において両側一対の柱と敷居および鴨居により開口部を形成し、該開口部に複数枚の襖を嵌め入れて該敷居と該鴨居に形成した溝に沿って水平方向に移動可能に組み付けることにより該開口部を開閉可能とした襖構造体において、
矩形枠体形状の外周枠体に対して一対の対角線上に延びる筋交を設けた補強骨格金物を用い、該補強骨格金物の両面を表層材で覆って装飾することにより前記複数枚の襖をそれぞれ構成する一方、該襖の少なくとも一枚において、該補強骨格金物の上下両辺部の水平方向両端付近に位置してそれぞれ鉛直方向外方に向かって突出可能なストッパを組み付けて、該ストッパを突出方向と引込方向にそれぞれ手動で操作するための操作機構を設けると共に、該ストッパを突出させて前記敷居および前記鴨居に対して固定状態として離脱を阻止する解除可能な保持機構を設けたことを特徴とする襖構造体。
【請求項２】
前記補強骨格金物に対して鉛直方向で往復移動可能に組み付けられて手動により外部から往復移動操作することのできる被駆動部材を設けて、該被駆動部材を鉛直方向の複数位置で位置保持せしめる位置保持機構を設けると共に、該被駆動部材を前記ストッパとしての押圧部材に連結し、該押圧部材を前記敷居と前記鴨居に対して弾性的に押し付けて固定状態とするようにした請求項１に記載の襖構造体。
【請求項３】
前記保持機構が設けられた前記襖を前記一対の柱の少なくとも一方に対して解除可能に固定する固定手段を設けた請求項１又は２に記載の襖構造体。
【請求項４】
前記保持機構による前記ストッパの前記敷居および前記鴨居への固定に連動して、前記固定手段による該保持機構が設けられた前記襖の前記一対の柱の何れか一方への固定が行われるようにした請求項３に記載の襖構造体。
【請求項５】
前記補強骨格金物の外周枠体の上桟において幅方向中間部分で上面に開口する空所を形成し、前記鴨居の溝に入り込んで摺動又は転動する案内部材を該空所に収容すると共に、該案内部材を突出方向に付勢する付勢手段を設けた請求項１乃至４の何れかに記載の襖構造体。
【請求項６】
前記補強骨格金物の外周枠体の下桟において全長に亘って延びる木製の係合沓を設けて、該係合沓を前記敷居の溝に嵌め込むようにした請求項１乃至５の何れかに記載の襖構造体。
【請求項７】
前記開口部を協働して開閉する前記複数枚の襖において、襖の移動方向又はそれに直交する方向で重ね合わせられる縁の部分に解除可能な連結手段を設けた請求項１乃至６の何れかに記載の襖構造体。
【請求項８】
前記補強骨格金物の少なくとも外周枠体において固定用木材を固設した請求項１乃至７の何れかに記載の襖構造体。
【請求項９】
前記補強骨格金物に対して人が通れるだけの窓部を形成した請求項１乃至８の何れかに記載の襖構造体。
【発明の詳細な説明】
【技術分野】
【０００１】
本発明は、木造建築物の隣り合う部屋間において両側の一対の柱と敷居および鴨居によって形成された開口部に複数枚の襖を嵌め入れて敷居と鴨居に形成した溝に沿ってそれら複数枚の襖を水平方向に移動可能に組み付けることにより開口部を開閉可能とした襖構造体に関するものである。
【背景技術】
【０００２】
従前からの和風建築物の代表として、軸組構法による木造建築物が知られている。そこでは、六畳とか八畳の部屋が続き間として二つ或いは田形に四つ隣り合って複数形成されており、これら隣り合う部屋の間には、左右一対の柱，敷居および鴨居によって大きな開口部が形成されている。そして、このように隣り合う部屋の間に形成された開口部には、複数枚の襖が嵌め入れられて、開口部が開閉可能とされた襖構造体が形成されている。
【０００３】
このような襖構造体を有する木造建築物においては、親族の会合等が催される場合、襖を取り払うことによって、大きな続き間を実現することが可能になる。また、襖を閉めることにより、優れた遮光，断熱，防音効果を発揮することが可能となる。その一方、襖を開けることにより、風通しを良くして、湿気を逃がすことも可能となる。
【０００４】
従って、上述の如き木造建築物は、日本の気候や風習に対応した優れた建築物であり、特に地方では、このような木造建築物は今でも多く残っている。
【０００５】
ところで、近年は大きな地震が多く発生しており、建築物の耐震強度が注目されるようになってきている。
【０００６】
しかしながら、上述の如き古くからの木造建築物においては、壁を多く設けた近代建築物や洋風建築物に比して、耐力壁がとり難い構造とされており、耐震強度が十分ではない。実際、被災地では、このような木造建築物の倒壊が多く報告されている。
【０００７】
また、木造建築物の殆どが瓦葺の屋根とされていることから、木造建築物には、耐震強度とは異なる観点からも強度が要求されている。
【０００８】
なお、従来から、特許文献１（実公昭０２−９６７０号公報）や特許文献２（実開昭５０−１１８７３８号公報）等において、襖を補強することが提案されている。
【０００９】
しかしながら、たとえ襖単体の強度を確保することが出来たとしても、敷居には、そもそも歩行等への支障をなくするために、溝が殆ど形成されていないことから、地震によって大きな外力が作用した際、襖が容易に外れ易い。従って、襖が耐力壁として十分に機能しないおそれがある。
【００１０】
また、特許文献３（特開２００３−３５０７４号公報）には、雨戸を利用した建築構造物の補強構造が提案されている。
【００１１】
しかしながら、雨戸は建築物の最外周に設けられているため、有効な補強が出来ない。また、建築物の最外周部分が補強されていることから、建築物の中央で潰れてしまうおそれがある。そして、殆どの建築物において、その中央に居室や寝室が設けられていることから、そこに人が居るときに地震があった場合、人が建築物の下敷きになってしまうおそれがある。
【００１２】
また、雨戸は、通常、戸袋に収容されているものであることから、このように戸袋に雨戸が収容された状態では、建築物の強度を確保することが出来ないという問題もある。なお、特許文献３には、いつも雨戸を閉めるようにする旨の記載があるが、このような雨戸の使用は現実的ではない。
【００１３】
【特許文献１】実公昭０２−９６７０号公報
【特許文献２】実開昭５０−１１８７３８号公報
【特許文献３】特開２００３−３５０７４号公報
【発明の開示】
【発明が解決しようとする課題】
【００１４】
ここにおいて、本発明は、上述の如き事情を背景として為されたものであって、その解決課題とするところは、従前からの木造建築物の良さを残しながら、耐力壁構造を有利に実現することが出来る、新規な襖構造体を提供することにある。
【課題を解決するための手段】
【００１５】
以下、このような課題を解決するために為された本発明の態様を記載する。なお、以下に記載の各態様において採用される構成要素は、可能な限り任意の組み合わせで採用可能である。また、本発明の態様乃至は技術的特徴は、以下に記載のものに限定されることなく、明細書全体に記載されたもの、或いはそれらの記載から当業者が把握することが出来る発明思想に基づいて認識されるものであることが理解されるべきである。
【００１６】
本発明の第一の態様は、木造建築物の隣り合う部屋において両側一対の柱と敷居および鴨居により開口部を形成し、該開口部に複数枚の襖を嵌め入れて該敷居と該鴨居に形成した溝に沿って水平方向に移動可能に組み付けることにより該開口部を開閉可能とした襖構造体において、矩形枠体形状の外周枠体に対して一対の対角線上に延びる筋交を設けた補強骨格金物を用い、該補強骨格金物の両面を表層材で覆って装飾することにより前記複数枚の襖をそれぞれ構成する一方、該襖の少なくとも一枚において、該補強骨格金物の上下両辺部の水平方向両端付近に位置してそれぞれ鉛直方向外方に向かって突出可能なストッパを組み付けて、該ストッパを突出方向と引込方向にそれぞれ手動で操作するための操作機構を設けると共に、該ストッパを突出させて前記敷居および前記鴨居に対して固定状態として離脱を阻止する解除可能な保持機構を設けたことを、特徴とする。
【００１７】
このような本態様に従う構造とされた襖構造体においては、開口部に嵌め入れられた複数枚の襖のそれぞれが、補強骨格金物の両面を表層材で覆って装飾することで構成されており、それら複数枚の襖の少なくとも一枚に組み付けられたストッパを操作機構により突出させて、敷居および鴨居に対して保持機構によって固定状態とすることで、ストッパが組み付けられた襖の開口部からの離脱を阻止するようになっていることから、地震の際に、歩行の際の支障をなくするために敷居に対して浅く形成された溝からの襖の離脱を有利に回避することが可能となる。
【００１８】
これにより、襖が敷居に形成された溝に嵌め入れられた状態を有利に維持することが可能となり、襖を耐力壁として機能させることが可能となる。
【００１９】
また、ストッパが組み付けられていない襖を移動することによって、或いは、保持機構による敷居および鴨居への固定状態が解除されている襖を移動することによって、襖が嵌め入れられた開口部を開閉することが可能となる。
【００２０】
従って、本態様に係る襖構造体においては、従来からの木造建築物の良さを残しながら、耐力壁構造を有利に実現することが可能となる。
【００２１】
特に、本態様においては、複数枚の襖の少なくとも一枚が固定状態とされるようになっていることから、例えば、開口部を開閉する際に動かさない襖を予め決めておき、その襖を保持機構により固定状態とすること等によって、少なくとも一枚の襖を、常時、より高強度な耐力壁として機能させることが可能となる。これにより、開口部を開閉する際に動かさない襖を利用するという極めて簡単な構成によって、高度な耐力壁構造を有利に実現することが可能となる。なお、可動状態とされた本発明に従う構造の襖によっても、補強効果は発揮される。
【００２２】
本発明の第二の態様は、前記第一の態様に係る襖構造体において、前記補強骨格金物に対して鉛直方向で往復移動可能に組み付けられて手動により外部から往復移動操作することのできる被駆動部材を設けて、該被駆動部材を鉛直方向の複数位置で位置保持せしめる位置保持機構を設けると共に、該被駆動部材を前記ストッパとしての押圧部材に連結し、該押圧部材を前記敷居と前記鴨居に対して弾性的に押し付けて固定状態とするようにしたことを、特徴とする。このような本態様に従う構造とされた襖構造体においては、被駆動部材が位置保持機構によって位置保持せしめられた際、被駆動部材に連結されたストッパとしての押圧部材が敷居と鴨居に対して弾性的に押し付けられて固定状態とされるようになっていることから、押圧部材の敷居と鴨居への押付力を襖毎に設定変更することが可能となる。
【００２３】
これにより、開口部が築年数が経って変形している場合や季節によって寸法が異なる場合等であっても、襖を強固に且つ安定して固定することが可能となる。
【００２４】
なお、本態様において、押圧部材の敷居と鴨居への弾性的な押し付けは、例えば、押圧部材をゴム材料等の弾性材で形成することによって、或いは、被駆動部材と押圧部材をコイルスプリング等の弾性部材を介して連結すること等によって、有利に実現され得る。
【００２５】
本発明の第三の態様は、前記第一又は第二の態様に係る襖構造体において、前記保持機構が設けられた前記襖を前記一対の柱の少なくとも一方に対して解除可能に固定する固定手段を設けたことを、特徴とする。このような本態様に従う構造とされた襖構造体においては、保持機構が設けられた襖が固定手段によって一対の柱の何れか一方に固定されるようになっていることから、襖構造体と木造建築物構造体との連結強度が一層大きくされて、襖構造体による補強効果がより高い信頼性で発揮され得ることとなり、木造建築物の全体としての強度を一層確保することが可能となる。
【００２６】
本発明の第四の態様は、前記第三の態様に係る襖構造体において、前記保持機構による前記ストッパの前記敷居および前記鴨居への固定に連動して、前記固定手段による該保持機構が設けられた前記襖の前記一対の柱の何れか一方への固定が行われるようにしたことを、特徴とする。このような本態様に従う構造とされた襖構造体においては、保持機構による襖の鴨居および敷居への固定と固定手段による襖の柱への固定を一回の作業で行うことが可能となる。
【００２７】
本発明の第五の態様は、前記第一乃至第四の何れかの態様に係る襖構造体において、前記補強骨格金物の外周枠体の上桟において幅方向中間部分で上面に開口する空所を形成し、前記鴨居の溝に入り込んで摺動又は転動する案内部材を該空所に収容すると共に、該案内部材を突出方向に付勢する付勢手段を設けたことを、特徴とする。このような本態様に従う構造とされた襖構造体においては、案内部材が付勢手段によって突出方向に付勢されるようになっていることから、地震の際に大きな外力が案内部材に作用すると、案内部材が付勢手段による付勢力に抗して空所内に入り込むこととなる。これにより、補強骨格金物の外周枠体の上桟全体が鴨居の溝に当接せしめられることとなり、その結果、地震の際に作用する外力を補強骨格金物の外周枠体の上桟全体で受けることが可能となり、保持機構による鴨居および敷居への固定が為されていない襖を耐力壁として利用することも可能となる。
【００２８】
また、本態様においては、鴨居の溝内において案内部材が摺動又は転動せしめられるようになっていることから、襖を開閉する際の動きを軽くすることが可能となる。
【００２９】
本発明の第六の態様は、前記第一乃至第五の何れかの態様に係る襖構造体において、前記補強骨格金物の外周枠体の下桟において全長に亘って延びる木製の係合沓を設けて、該係合沓を前記敷居の溝に嵌め込むようにしたことを、特徴とする。このような本態様に従う構造とされた襖構造体においては、補強骨格金物の両面が表層材で覆われた襖であっても、襖を開閉するときの襖本来の滑らかな動きを有利に実現することが可能となる。
【００３０】
特に、本態様は、前記第五の態様と組み合わせて採用することが望ましく、それによって、襖の開閉時の動きをより一層滑らかにすることが可能となる。
【００３１】
本発明の第七の態様は、前記第一乃至第六の何れかの態様に係る襖構造体において、前記開口部を協働して開閉する前記複数枚の襖において、襖の移動方向又はそれに直交する方向で重ね合わせられる縁の部分に解除可能な連結手段を設けたことを、特徴とする。このような本態様に従う構造とされた襖構造体においては、補強骨格金物の両面を表層材で覆って装飾することにより構成された襖同士が連結手段によって相互に固定されるようになっていることから、全体として高強度な耐力壁構造を有利に実現することが可能となる。
【００３２】
特に、本態様は、前記第三の態様と組み合わせて採用されることが望ましく、それによって、両側一対の柱の何れか一方に対して固定手段によって固定された襖と、該固定手段によって固定された襖と協働して開口部を開閉する襖とを、相互に固定することが可能となり、それによって、全体としてより高強度な耐力壁構造を有利に実現することが可能となる。
【００３３】
本発明の第八の態様は、前記第一乃至第七の何れかの態様に係る襖構造体において、前記補強骨格金物の少なくとも外周枠体において固定用木材を固設したことを、特徴とする。このような本態様に従う構造とされた襖構造体においては、例えば、板材等を外周枠体の両面に対して釘等で容易に固定することが可能となる。従って、本態様においては、固定用木材に固定された板材の表面に下張り等を施すことにより、補強骨格金物の両面を装飾することが容易に可能となる。
【００３４】
本発明の第九の態様は、前記第一乃至第八の何れかの態様に係る襖構造体において、前記補強骨格金物に対して人が通れるだけの窓部を形成したことを、特徴とする。このような本態様に従う構造とされた襖構造体においては、地震により襖が開かなくなった場合であっても、逃げ道を有利に確保することが可能となる。従って、本態様においては、この窓部を表層材で覆っておくことにより、襖としての外観をそのまま保ちつつ、非常時には、表層材を破って脱出口を確保することが可能となる。
【発明の効果】
【００３５】
上述の説明から明らかなように、本発明に従う構造とされた襖構造体においては、補強骨格金物の両面が表層材によって覆われることで構成された襖に組み付けられたストッパが操作機構によって突出せしめられた状態で、保持機構によって敷居および鴨居に対して固定されるようになっていることから、地震の際に襖が開口部から離脱することが有利に防止されることとなり、それによって、襖を耐力壁として利用した木造建築物の耐力壁構造を有利に実現することが可能となる。一方、開口部に嵌め入れられた複数枚の襖のうち少なくとも一枚の襖が保持機構によって敷居および鴨居に固定されるようになっていることから、保持機構が設けられていない襖、或いは、保持機構による鴨居および敷居への固定が為されていない襖を動かすことにより、襖が嵌め入れられた開口部を開閉することが可能となる。その結果、従前の木造建築物の良さを維持することも可能となる。
【発明を実施するための最良の形態】
【００３６】
以下、本発明を更に具体的に明らかにするために、本発明の実施形態について、図面を参照しつつ、詳細に説明する。
【００３７】
図１には、本発明の第一の実施形態としての襖構造体１０が示されている。この襖構造体１０は、木造建築物の隣り合う部屋１２，１４間において両側一対の柱１６，１６と敷居１８および鴨居２０によって形成された開口部２２に複数枚（本実施形態では、四枚）の襖２４を嵌め入れて、これら複数枚の襖２４を敷居１８と鴨居２０のそれぞれに形成された溝２６，２８に沿って水平方向に移動可能に組み付けることにより、開口部２２を開閉可能としたものである。
【００３８】
より詳細には、これら四枚の襖２４は、何れも、補強骨格金物３０の両面が表層材で覆われた構造とされている。この補強骨格金物３０は、図２に示されているように、一対の竪縁３２，３２が上桟３４および下桟３６によって連結された、矩形枠体形状を呈する外周枠体３８を含んで構成されている。なお、本実施形態の補強骨格金物３０は、アルミニウム合金によって形成されている。
【００３９】
また、外周枠体３８には、一対の対角線上に延びる筋交４０，４０が取り付けられている。なお、本実施形態では、これら一対の筋交４０，４０の外周枠体３８への取り付けは、外周枠体３８の四隅に設けられた取付板４２に対して各筋交４０の長手方向端部が溶接やねじ止め等されることによって行われている。
【００４０】
更にまた、外周枠体３８には、各竪縁３２の長手方向中央部分を上桟３４および下桟３６に対して平行に延びる中桟４４が取り付けられている。なお、本実施形態では、各竪縁３２の長手方向中央部分に設けられた取付板４６に対して中桟４４の長手方向端部が溶接やねじ止め等されることによって、中桟４４が外周枠体３８に取り付けられるようになっている。
【００４１】
これにより、本実施形態では、補強骨格金物３０の開口が一対の筋交４０，４０および中桟４４によって六つの領域に区画されているのである。従って、本実施形態では、補強骨格金物３０の内周側において六つの窓部としての開口窓４８が形成されていることとなる。
【００４２】
また、本実施形態では、各竪縁３２に対して、外周枠体３８の左右方向（図２中の左右方向）外方に開口して外周枠体３８の長手方向に延びる収容溝５０が形成されており、その長手方向両端のそれぞれにおいて、図３および図４に示されているように、ストッパ（押圧部材）としてのストッパゴム５２および該ストッパゴム５２を収容溝５０の長手方向（補強骨格金物３０の上下方向となる図２中の上下方向）で移動／保持せしめる機構が収容されている。
【００４３】
なお、本実施形態で採用されているストッパゴム５２およびそれを移動／保持せしめる機構は、全て同じ構造とされていることから、図３および図４に示されている、左側の竪縁３２に形成された収容溝５０の上端に収容されているストッパゴム５２およびそれを移動／保持せしめるための機構についてのみ説明することとする。
【００４４】
ストッパゴム５２は、公知のゴム材料によって形成されており、全体として、矩形ブロック形状を呈している。また、ストッパゴム５２には、金属材によって形成された伝達ロッド５４が固着されている。そして、この伝達ロッド５４は、収容溝５０の長手方向にスライド可能な状態で支持されている被駆動部材５８に設けられた筒部６０に挿通されている。
【００４５】
そこにおいて、図５に示されているように、筒部６０内には、コイルスプリング５６が収容されており、かかるコイルスプリング５６が圧縮せしめられた際、その反力が伝達ロッド５４に及ぼされるようになっている。
【００４６】
また、被駆動部材５８は、収容溝５０の一方の側壁に対して溶接やねじ止め等によって取り付けられている支持板５７に形成された二つの凹部６４，６６の何れかに対してその一方の端部が嵌め入れられる操作片６２が、支持軸５９回りに回動操作されることにより、収容溝５０の長手方向にスライドされるようになっている。
【００４７】
そこにおいて、本実施形態では、操作片６２が支持軸５９回りに回動操作される際、操作片６２における凹部６４，６６に嵌め入れられるほうとは反対側の端部において回動軸６１回りに回動可能に支持された押込片６３が、被駆動部材５８に形成された収容凹所６５に収容されている付勢手段としてのコイルスプリング６７の付勢力に抗して押しこまれ、収容凹所６５内に収容されるようになっている。これにより、押込片６３を被駆動部材５８と一体的に動くこととなり、その結果、押込片６３に連結されている操作片６２と被駆動部材５８が連動するようになっている。
【００４８】
そして、本実施形態では、収容溝５０の長手方向の外方側（補強骨格金物３０の上下方向の外方側）に形成された凹部６４に操作片６２の操作側端部が嵌め込まれている状態では、被駆動部材５８は、収容溝５０の長手方向内方（補強骨格金物３０の上下方向の内方）の移動端に位置せしめられている一方、収容溝５０の長手方向の内方側（補強骨格金物３０の上下方向の内方側）に形成された凹部６６に操作片６２の操作側端部が嵌め込まれている状態では、被駆動部材５８は、収容溝５０の長手方向外方（補強骨格金物３０の上下方向の外方）の移動端に位置せしめられている。
【００４９】
なお、支持板５７には、操作片６２の回動操作を許容する孔５５が形成されている。
【００５０】
また、本実施形態では、上桟３４に対して、その幅方向（図２において紙面に垂直な方向）中間部分において、上方に向かって開口する空所としての収容凹所６８が複数（本実施形態では、二つ）形成されている。そして、これら複数の収容凹所６８のそれぞれに対して、図６に示されているように、案内部材としての摺動ローラ７０が、付勢手段としてのコイルスプリング７２によって弾性支持された溝金具７４に対して回転可能に軸支された状態で収容されている。
【００５１】
更にまた、本実施形態では、外周枠体３８の内周面の複数箇所（本実施形態では、六箇所）において、固定用木材７６が固着されており、かかる固定用木材７６に対して、補強骨格金物３０に形成された複数の開口窓４８を両側から覆うように重ね合わされたベニヤ板７８が釘によって固定されるようになっている。そして、このように固定されたベニヤ板７８に対して下張りが施されることにより、図７に示されているように、補強骨格金物３０の両面が表層材で覆われて装飾されることとなる。即ち、本実施形態では、下張りが施されたベニヤ板７８によって表層材が構成されているのである。
【００５２】
また、本実施形態では、合成樹脂材によって形成されて、コ字状断面でストレートに延びる竪縁カバー８０が、各竪縁３２に対して、その開口側から組み付けられている。これにより、各竪縁３２に形成された収容溝５０の開口が竪縁カバー８０によって覆蓋されることとなる。なお、竪縁カバー８０が取り付けられた状態であっても、操作片６２が操作可能となるように、竪縁カバー８０に対して操作用開口８２が形成されている。
【００５３】
また、上桟３４の幅方向両側面および下桟３６の幅方向両側面のそれぞれに対してカバー８４，８６が固着されている。これにより、襖２４の両面の縁が、竪縁カバー８０，８０，上桟３４および下桟３６のカバー８４，８６によって全周に亘って覆われていることとなる。
【００５４】
更にまた、本実施形態では、木製の係合沓８８が下桟３６の下面に対して全長に亘って固着されている。
【００５５】
このような構造とされた襖２４は、上桟３４が鴨居２０に形成された溝２８に嵌め入れられる一方、下桟３６が敷居１８に形成された溝２６に嵌め入れられることによって、開口部２２に組み付けられるようになっており、その結果、開口部２２が複数枚の襖２４によって開閉可能とされている。
【００５６】
続いて、襖２４の敷居１８および鴨居２０への固定方法について説明する。なお、本実施形態では、ストッパゴム５２およびそれを移動／保持せしめる機構は、全て同じとされていることから、襖２４の鴨居２０への固定は、左側の竪縁３２に形成された収容溝５０の上端に収容されているストッパゴム５２およびそれを移動／保持せしめる機構についてのみ説明し、また、襖２４の敷居１８への固定は、左側の竪縁３２に形成された収容溝５０の下端に収容されているストッパゴム５２およびそれを移動／保持せしめる機構についてのみ説明することにする。
【００５７】
先ず、襖２４の左右両側に設けられた上側の操作片６２および下側の操作片６２の各操作側端部を襖２４の上下方向の外方側に形成された凹部６４に嵌め入れて、上側の被駆動部材５８に連結されたストッパゴム５２および下側の被駆動部材５８に連結されたストッパゴム５２のそれぞれを、図８および図９に示されているように、襖２４の上下方向内方の移動端に位置せしめた状態で、襖２４を固定したい位置まで移動させる。
【００５８】
襖２４を固定させたい位置まで移動させたら、襖２４の左右両側に設けられた上側の操作片６２および下側の操作片６２の各操作側端部を襖２４の上下方向内方に形成された凹部６６に嵌め入れる。これにより、上側の被駆動部材５８に連結されたストッパゴム５２が鴨居２０に向けて変位せしめられて、図１０に示されているように、ストッパゴム５２が襖２４の上下方向外方の移動端において鴨居２０に形成された溝２８に押し付けられるようになっている。また、下側の被駆動部材５８に連結されたストッパゴム５２が敷居１８に向けて変位せしめられて、図１１に示されているように、ストッパゴム５２が襖２４の上下方向外方の移動端において敷居１８に形成された溝２６に押し付けられるようになっている。
【００５９】
その結果、上側の被駆動部材５８に連結されたストッパゴム５２の鴨居２０に形成された溝２８への押圧力と、下側の操作部材５８に連結されたストッパゴム５２の敷居１８に形成された溝２６への押圧力とによって、鴨居２０と敷居１８の対向方向への襖２４の変位を阻止することが可能となる。また、このようにして、ストッパゴム５２，５２が溝２６，２８に押し付けられていることにより、ストッパゴム５２，５２と溝２６，２８との間に有効な摩擦力を生ぜしめることが可能となって、一対の柱１６，１６の対向方向（スライド方向）への襖２４の変位を阻止することも可能となる。
【００６０】
上述の説明から明らかなように、本実施形態では、操作片６２，押込片６３およびコイルスプリング６７を含んで操作機構が構成されている。また、本実施形態では、操作片６２と操作片６２の操作側端部が嵌め入れられる凹部６６を含んで保持機構が構成されている。更にまた、本実施形態では、コイルスプリング６７の付勢力が及ぼされる押込片６３と、押込片６３に連結された操作片６２と、操作片６２の操作側端部が嵌め入れられる凹部６４，６６を含んで位置保持機構が構成されている。
【００６１】
従って、本実施形態の襖構造体１０においては、地震の際に大きな外力が作用したとしても、襖２４が任意の位置に固定された状態を維持することが可能となり、それによって、襖２４を耐力壁として有効に利用することが可能となる。
【００６２】
その一方、襖２４の鴨居２０および敷居１８への固定を解除することによって、襖２４を移動させることも可能となる。
【００６３】
それ故、本実施形態の襖構造体１０においては、従前からの木造建築物の良さを残しつつ、襖２４を利用した耐力構造を有利に実現することが可能となる。
【００６４】
そこにおいて、本実施形態では、操作片６２の動きに連動する被駆動部材５８が筒部６０内に収容されたコイルスプリング５６を介して伝達ロッド５４に連結されていることから、かかるコイルスプリング５６の圧縮変形を利用してストッパゴム５２の溝２６，２８への押圧力を調節することが可能となる。これにより、例えば、築年数が経って開口部２２が変形していたり、或いは、襖２４が嵌め入れられる開口部２２の寸法が季節によって異なっていたとしても、有利に対応することが可能となる。その結果、襖２４の鴨居２０および敷居１８への固定を強固に且つ安定して行うことが可能となる。
【００６５】
また、本実施形態では、上桟３４において複数の収容凹所６８が形成されており、各収容凹所６８には、摺動ローラ７０が収容凹所６８の開口方向で変位可能に収容されていることから、襖２４を開閉する際には、襖２４の滑らかな動きを実現しつつ、地震の際に大きな外力が作用すると、摺動ローラ７０が収容凹所６８内に収容されることにより、上桟３４の上面全体が鴨居２０に形成された溝２８に当接せしめられて、地震の際に作用する外力を上桟３４の全体で受けるようにすることが可能となる。
【００６６】
さらに、本実施形態では、補強骨格金物３０の外周枠体３８の下桟３６において全長に亘って延びる木製の係合沓８８が設けられていることから、襖２４が補強骨格金物３０を備えている場合であっても、従前の襖本来の動きを実現することが可能となる。
【００６７】
更にまた、本実施形態では、補強骨格金物３０における外側枠体３８の内周面の複数箇所において固定用木材７６が固着されていることから、下張りが施されるベニヤ板７８の補強骨格金物３０への固定を有利に実現することが可能となる。
【００６８】
また、本実施形態では、補強骨格金物３０に対して開口窓４８が複数形成されていることから、地震によって襖２４が開かなくなった場合であっても、かかる開口窓４８を覆っているベニヤ板７８を壊すことで逃げ道を確保することが可能となる。
【００６９】
続いて、本発明の第二の実施形態の襖構造体について説明する。なお、以下の説明において、第一の実施形態と同様な構造とされた部材および部位については、図中に、第一の実施形態と同一の符号を付すことにより、それらの詳細な説明を省略する。
【００７０】
本実施形態の襖構造体は、第一の実施形態の襖構造体（１０）に比して、左側の竪縁３２に形成された収容溝５０に収容されている下側の被駆動部材５８に対して、図１２に示されているように、係止ピン９０が設けられている。なお、図１２では必ずしも明らかではないが、係止ピン９０の突出端は基端部分よりも大径の円板形状とされている。
【００７１】
また、左側の柱１６の下端部分には、係止片９４が取り付けられている。この係止片９４は、図１３及び図１４に示されているように、係止ピン９０が係合可能な切欠９２が形成された構造とされている。
【００７２】
続いて、本実施形態の襖２４の固定方法について説明する。先ず、襖２４の左右両側に設けられた上側の操作片６２および下側の操作片６２の各操作側端部を襖２４の上下方向の内方側に形成された凹部６４に嵌め入れて、上側の被駆動部材５８に連結されたストッパゴム５２および下側の被駆動部材５８に連結されたストッパゴム５２のそれぞれを襖９６の上下方向内方の移動端に位置せしめた状態で、襖２４をその左側の縁が左側の柱１６に当接する位置まで移動させる。この状態では、係止ピン９０は、図１５に示されているように、係止片９４に形成された切欠９２の上方に位置せしめられている。
【００７３】
かかる位置まで襖２４を移動させたら、襖２４の左右両側に設けられた上側の操作片６２および下側の操作片６２の各操作側端部を襖２４の上下方向外方に形成された凹部６６に嵌め入れる。これにより、上側の被駆動部材５８に連結されたストッパゴム５２が鴨居２０に向けて変位せしめられて、ストッパゴム５２が襖９６の上下方向外方の移動端において鴨居２０に形成された溝２８に押し付けられるようになっている。また、下側の被駆動部材５８に連結されたストッパゴム５２が敷居１８に向けて変位せしめられて、ストッパゴム５２が襖２４の上下方向外方の移動端において敷居１８に形成された溝２６に押し付けられるようになっている。
【００７４】
その結果、上側の被駆動部材５８に連結されたストッパゴム５２の鴨居２０に形成された溝２８への押圧力と、下側の操作部材５８に連結されたストッパゴム５２の敷居１８に形成された溝２６への押圧力とによって、鴨居２０と敷居１８の対向方向への襖２４の変位を阻止することが可能となる。また、このようにして、ストッパゴム５２，５２が溝２６，２８に押し付けられていることにより、ストッパゴム５２，５２と溝２６，２８との間に有効な摩擦力を生ぜしめることが可能となって、一対の柱１６，１６の対向方向（スライド方向）への襖２４の変位を阻止することも可能となる。
【００７５】
そこにおいて、本実施形態では、左側の竪縁３２に形成された収容溝５０の下端に収容されている被駆動部材５８が敷居１８に向けて変位せしめられる際、図１６に示されているように、下側の被駆動部材５８に設けられた係止ピン９０が左側の柱１６に設けられた係止片９４に形成された切欠９２に嵌め入れられるようになっている。
【００７６】
その結果、本実施形態では、襖２４が鴨居２０および敷居１８のみならず、左側の柱１６に対しても固定されるようになっている。
【００７７】
このことから明らかなように、本実施形態では、下側の被駆動部材５８に設けられた係止ピン９０と左側の柱１６に設けられた係止片９４によって固定手段が構成されている。
【００７８】
従って、本実施形態の襖構造体においては、一層高強度な耐力構造を実現することが可能となる。
【００７９】
続いて、本発明の第三の実施形態の襖構造体について説明する。なお、以下の説明において、第一の実施形態と同様な構造とされた部材および部位については、図中に、第一の実施形態と同一の符号を付すことにより、それらの詳細な説明を省略する。
【００８０】
本実施形態の襖構造体は、第一の実施形態の襖構造体（１０）に比して、図１４に示されているように、襖２４を閉めた状態で襖２４の移動方向に直交する方向で重ね合わされる竪縁３２，３２同士（二枚の襖２４，２４の縁同士）を連結する連結ロッド９６が設けられており、この連結ロッド９６が互いに重ね合わされる竪縁３２のそれぞれに形成された挿通孔９８に挿通されることによって、二枚の襖２４，２４が相互に連結されるようになっている。
【００８１】
このことから明らかなように、本実施形態では、連結ロッド９６および互いに重ね合わされる竪縁３２，３２のそれぞれに形成された挿通孔９８によって連結手段が構成されている。
【００８２】
従って、本実施形態の襖構造体においては、補強骨格金物３０を備えた襖２４，２４同士を相互に連結することが可能となり、それによって、より一層高強度な耐力構造を有利に実現することが可能となる。
【００８３】
以上、本発明の幾つかの実施形態について詳述してきたが、これらはあくまでも例示であって、本発明は、かかる実施形態における具体的な記載によって、何等、限定的に解釈されるものではない。
【００８４】
例えば、前記第一乃至第三の実施形態では、ストッパゴム５２に対して一体的に設けられた伝達ロッド５４が筒部６０に収容されているコイルスプリングを介して被駆動部材５８に連結されていたが、かかるコイルスプリングを介することなく、被駆動部材５８がストッパゴム５２に対して直接連結されていても良い。この場合、ストッパゴム５２の形状や形成材料等を適当に設定して、ストッパゴム５２の溝２６，２８への押圧力を調節することになる。
【００８５】
また、前記第一乃至第三の実施形態では、ストッパゴム５２が溝２６，２８に押圧されることによって襖２４が固定されるようになっていたが、例えば、図１８に示されているように、被駆動部材５８に対して筒部６０に収容されたコイルスプリングを介して連結された挿通ロッド１００を溝２８に形成された穴１０２に嵌め入れることによって、襖２４を固定するようにしても良い。なお、図１８では、鴨居２０への固定状態が示されていたが、敷居１８への固定であっても、その原理は同じであることから、敷居１８への固定状態の説明は省略する。また、図１８において、第一の実施形態と同様な構造とされた部材および部位については、理解を容易にするために、第一の実施形態と同一の符号を付してある。
【００８６】
更にまた、前記第三の実施形態では、襖２４のスライド方向に対して直交する方向で重ね合わされる二つの竪縁３２，３２同士が相互に連結されるようになっていたが、襖２４のスライド方向で重ね合わされる二つの竪縁３２，３２同士を相互に連結するようにしても良い。この場合、二つの竪縁３２，３２を相互に連結する方法としては、図１９に示されているように、一方の竪縁３２において一軸回りに回転可能に組み付けられた係止片１０４を他方の竪縁３２に設けられた係止ピン１０６に係止する方法等が有利に採用される。なお、かかる係止ピン１０６は、地震等の入力時に容易に外れないものが望ましく、且つ、解除可能である必要がある。具体的には、例えば、和式の玄関引戸の鍵構造のように、ねじ式や回転ロック式の固定構造を係止ピン１０６に採用することが望ましい。また、このような係止ピン１０６等による連結構造は、複数箇所に設けることが望ましく、それによって、連結強度の向上を図ることが可能となる。
【００８７】
また、前記第二の実施形態では、襖２４は、その下端において、左側の柱１６に固定されるようになっていたが、襖２４は、その上端において、或いは、その上下両端において、左側の柱１６に固定されるようにしても良い。なお、右側の柱１６に襖２４を固定することも、勿論可能である。
【００８８】
さらに、本発明は、新築の木造建築物のみならず、従来からある木造建築物に対しても、適用可能である。その場合には、敷居や鴨居等の木造建築物本体への改造を全く或いは殆ど加えることなく、襖を交換するだけで、極めて簡単に対処することが出来る。
【００８９】
また、雄ネジが設けられた部材と、その雄ネジに螺着される雌ネジが設けられた部材を採用し、それらの何れか一方を外部から操作することによって、それらの何れか他方に連結されたストッパの位置を調節するようにしても良い。
【００９０】
更にまた、案内部材は前記第一の実施形態の摺動ローラに限定されることなく、例えば、滑りやすい低摩擦性樹脂によって形成された摺動ブロックであっても良い。
【００９１】
その他、一々列挙はしないが、本発明は、当業者の知識に基づいて種々なる変更，修正，改良等を加えた態様において実施され得るものであり、また、そのような実施態様が、本発明の趣旨を逸脱しない限り、何れも、本発明の範囲内に含まれるものであることは、言うまでもない。
【図面の簡単な説明】
【００９２】
【図１】本発明の第一の実施形態としての襖構造体を示す正面図である。
【図２】図１に示された襖構造体における襖に採用されている補強骨格金物を示す正面図である。
【図３】図２に示された補強骨格金物の外周枠体における左側の竪縁に形成された収容溝の上端に収容された各種部材を説明するための要部拡大平面図である。
【図４】図３の左側面図である。
【図５】図３におけるＶ−Ｖ断面図である。
【図６】図２におけるＶＩ−ＶＩ断面を拡大した断面図である。
【図７】第一の実施形態の襖構造体に採用されている襖単体を示す平面図である。
【図８】図２に示された補強骨格金物の外周枠体における左側の竪縁に形成された収容溝の上端に収容されたストッパゴムの位置を説明するための図面であって、ストッパゴムが引込み側の移動端に位置せしめられた状態を示す図面である。
【図９】図２に示された補強骨格金物の外周枠体における左側の竪縁に形成された収容溝の下端に収容されたストッパゴムの位置を説明するための図面であって、ストッパゴムが引込み側の移動端に位置せしめられた状態を示す図面である。
【図１０】図２に示された補強骨格金物の外周枠体における左側の竪縁に形成された収容溝の上端に収容されたストッパゴムの位置を説明するための図面であって、ストッパゴムが突出側の移動端に位置せしめられた状態を示す図面である。
【図１１】図２に示された補強骨格金物の外周枠体における左側の竪縁に形成された収容溝の下端に収容されたストッパゴムの位置を説明するための図面であって、ストッパゴムが突出側の移動端に位置せしめられた状態を示す図面である。
【図１２】本発明の第二の実施形態としての襖構造体において採用されている襖の柱への固定機構を説明するための図面である。
【図１３】柱に取り付けられた係止片の正面図である。
【図１４】図１３におけるＸＩＶ−ＸＩＶ断面図である。
【図１５】襖が左側の柱に当接せしめられた状態を示す、図１２におけるＸＶ−ＸＶ方向に相当する断面図であって、襖が左側の柱に固定されていない状態を示す断面図である。
【図１６】襖が左側の柱に当接せしめられた状態を示す、図１２におけるＸＶ−ＸＶ方向に相当する断面図であって、襖が左側の柱に固定されている状態を示す断面図である。
【図１７】本発明の第三の実施形態の襖構造体において採用されている二枚の襖を連結する機構を説明するための断面図である。
【図１８】襖を鴨居に固定する機構の他の態様を説明するための図面である。
【図１９】二枚の襖を連結する機構の他の態様を説明するための図面である。
【符号の説明】
【００９３】
１０  襖構造体
１２  部屋
１４  部屋
１６  柱
１８  敷居
２０  鴨居
２２  開口部
２４  襖
２６  溝
２８  溝
３０  補強骨格金物
３８  外周枠体
４０  筋交
５２  ストッパゴム
６２  操作片
６４  凹部
６６  凹部
７８  ベニヤ板
【図１】
2006241910.tif 000003
【図２】
2006241910.tif 000004
【図３】
2006241910.tif 000005
【図４】
2006241910.tif 000006
【図５】
2006241910.tif 000007
【図６】
2006241910.tif 000008
【図７】
2006241910.tif 000009
【図８】
2006241910.tif 000010
【図９】
2006241910.tif 000011
【図１０】
2006241910.tif 000012
【図１１】
2006241910.tif 000013
【図１２】
2006241910.tif 000014
【図１３】
2006241910.tif 000015
【図１４】
2006241910.tif 000016
【図１５】
2006241910.tif 000017
【図１６】
2006241910.tif 000018
【図１７】
2006241910.tif 000019
【図１８】
2006241910.tif 000020
【図１９】
2006241910.tif 000021